(57)【特許請求の範囲】
【請求項１】
鈎部を先端に有し、後端部に連結孔が設けられたＵ字状のフック本体の一側部に、前記鈎部の開口を開閉する片開翼を揺動自在に取付け、その片開翼が鈎部の開口を閉じる方向に片開翼を付勢する弾性手段を設け、前記片開翼に形成された一対の側板の前記フック本体の外側面より外側に張り出す後端部に、フック本体の外側面に対して傾斜して前記後端部の外周面下部で開口し、操作棒の先端に設けられたフックの水平杆部を前記フック本体の外側面に沿って鈎部側に向けて移動させた際にその水平杆部が進入し、その水平杆部が閉塞端を押上げることにより前記片開翼が開放方向に揺動する誘導用長孔を形成し、前記一対の側板の後端部間に補助翼を組込んで揺動自在に支持し、その補助翼の一端部に前記フック本体の外側面に形成された係合突部に対する係合によって片開翼を閉鎖状態に保持する係合ピンを設け、その係合ピンが係合突部と係合する方向に補助翼を付勢する弾性手段を設け、前記補助翼の他端部には前記誘導用長孔に対して傾斜して補助翼の前記フック本体の外側面と対向する側面で開口し、前記フックの水平杆部が前記誘導用長孔内に進入して閉塞端部側に向けて移動する際に上側面が押圧され、その押圧により前記係合ピンが係合突部から離れる方向に補助翼が揺動し、その揺動により前記誘導用長孔と斜交して前記水平杆部を誘導用長孔とで保持する保持用長孔を形成した高所掛止用フック金具。
【発明の詳細な説明】
【０００１】
【発明の属する技術分野】
この発明は、安全ベルトを巻取る緊急ロック式巻取器を地上からの操作によって高所に掛け吊す場合に使用される高所掛止用フック金具に関するものである。
【０００２】
【従来の技術】
一般に、配電柱での柱上作業のように、高所で作業を行う場合、作業者の昇降時の安全性を確保するため、高所位置に緊急ロック式巻取器を掛け吊し、その巻取器に巻き取られた安全ベルトの先端のフックを作業者の腰部に巻付けた高所作業用安全帯に接続して作業者の墜落防止を図ることが行われている。
【０００３】
ここで、緊急ロック式巻取器は、安全ベルトを巻取り、その安全ベルトの急激な引出しに応じてベルト巻取り用のリールをロックし、安全ベルトが引き出されるのを防止するようになっている。
【０００４】
上記のような緊急ロック式巻取器を地上からの操作によって高所に掛け吊す場合に高所掛止用フック金具が使用される。
【０００５】
そのような高所掛止用フック金具として、例えば、特開平８−３３２２４１号公報に記載されたものが従来から知られている。
【０００６】
上記高所掛止用フック金具は、フック本体の鈎部を開閉する揺動自在の開閉板に連結バーを連結し、その連結バーの端部に吊環部を設け、この吊環部に伸縮竿の先端に設けられた鈎部を係合させることにより開閉板を開放させ、伸縮竿の地上からの操作により、フック本体を高所の掛止部材に係合させたのち、伸縮竿の鈎部と吊環部の係合を解除し、開閉板をスプリングの弾力によりフック本体の鈎部を閉じる方向に回動させるようにしている。
【０００７】
【発明が解決しようとする課題】
ところで、上記高所掛止用フック金具においては、フック本体の鈎部が掛止部材に不完全に係合する状態でも伸縮竿の鈎部と吊環部の係合を解除することができ、フック本体の不完全な係合時に、開閉板は掛止部材に対する当接によって開放状態に保持される場合があるため、安全性に問題がある。
【０００８】
この発明の課題は、完全な係合状態を常に確保することができる安全性に優れた高所掛止用フック金具を提供することである。
【０００９】
【課題を解決するための手段】
上記の課題を解決するために、この発明においては、鈎部を先端に有し、後端部に連結孔が設けられたＵ字状のフック本体の一側部に、前記鈎部の開口を開閉する片開翼を揺動自在に取付け、その片開翼が鈎部の開口を閉じる方向に片開翼を付勢する弾性手段を設け、前記片開翼に形成された一対の側板の前記フック本体の外側面より外側に張り出す後端部に、フック本体の外側面に対して傾斜して前記後端部の外周面下部で開口し、操作棒の先端に設けられたフックの水平杆部を前記フック本体の外側面に沿って鈎部側に向けて移動させた際にその水平杆部が進入し、その水平杆部が閉塞端を押上げることにより前記片開翼が開放方向に揺動する誘導用長孔を形成し、前記一対の側板の後端部間に補助翼を組込んで揺動自在に支持し、その補助翼の一端部に前記フック本体の外側面に形成された係合突部に対する係合によって片開翼を閉鎖状態に保持する係合ピンを設け、その係合ピンが係合突部と係合する方向に補助翼を付勢する弾性手段を設け、前記補助翼の他端部には前記誘導用長孔に対して傾斜して補助翼の前記フック本体の外側面と対向する側面で開口し、前記フックの水平杆部が前記誘導用長孔内に進入して閉塞端部側に向けて移動する際に上側面が押圧され、その押圧により前記係合ピンが係合突部から離れる方向に補助翼が揺動し、その揺動により前記誘導用長孔と斜交して前記水平杆部を誘導用長孔とで保持する保持用長孔を形成した構成を採用したのである。
【００１０】
上記の構成から成る高所掛止用フック金具を高所の掛止部材に係合させる場合、操作棒を用いる。この場合、操作棒には水平杆部を有するフックを設けておくようにする。
【００１１】
上記操作棒のフックに設けられた水平杆部を片開翼に形成された誘導用長孔に挿入すると、水平杆部の押圧によって係合ピンが係合突部から離れる方向に補助翼が揺動し、続いて片開翼が揺動してフック本体の鈎部を開放する。このとき、補助翼に形成された保持用長孔は片開翼に形成された誘導用長孔と斜交する関係となり、その両孔の交差部に操作棒のフックに設けられた水平杆部が配置され、この水平杆部で高所掛止用フック金具が支持される。
【００１２】
フック金具の支持状態において、操作棒の操作によりフック本体の鈎部を高所の掛止部材に係合して操作棒を引き下げると、片開翼が弾性手段の弾力と水平杆部の引き下げとにより揺動してフック本体の鈎部の開口を閉じると共に、補助翼が揺動して一端の係合ピンが係合突部に係合する。
【００１３】
ここで、操作棒の引き下げ時、片開翼が掛止部材に対する当接によって中途半端に閉じる状態であると、その片開翼に形成された誘導用長孔と補助翼に設けられた保持用長孔は斜交する状態を保ち、操作棒の先端の水平杆部を上記両孔から引き抜くことができず、片開翼がフック本体の鈎部を完全に閉鎖する状態のみ水平杆部を両孔から引き抜くことができる。このため、完全な係合状態を常に確保することができる。
【００１４】
【発明の実施の形態】
以下、この発明の実施の形態を図面に基づいて説明する。図１に示すように、Ｕ字状のフック本体１は先端に鈎部２を有し、後端には連結孔３が形成されている。
【００１５】
連結孔３には、カラビナ４を介して緊急ロック式巻取器５が接続されている。緊急ロック式巻取器５は、特開平８−３３２２４１号公報に記載されているように、内蔵されたリールに安全ベルト６を巻取り、その安全ベルト６が急激に引き出されたとき、そのベルト６を巻取るリールをロックして安全ベルト６の引き出しを停止させるようになっており、前記安全ベルト６の先端には、作業者の腰部に巻付けられた高所作業用安全帯に接続される安全装置付きフック７が取付けられている。
【００１６】
図２および図３に示すように、フック本体１の鈎部２の下方には、その鈎部２の開口を開閉する片開翼８が設けられている。
【００１７】
片開翼８は、一対の側板９を有し、その側板９の後端部がピン１０を介してフック本体１に回動自在に連結されている。ピン１０には弾性手段としてのキックばね１１が支持され、このキックばね１１により片開翼８は鈎部２の開口を閉じる方向に付勢され、一対の側板９の先端部間に設けられたストッパピン１２が鈎部２の先端部に形成された切欠部１３に押し付けられている。
【００１８】
片開翼８の一対の側板９の後端部はフック本体１の外側面から外側に張り出し、その張り出し部分９ａに誘導用長孔１４が形成されている。誘導用長孔１４は張り出し部分９ａの外周面下部で開口し、一方の内側面１４ａは、片開翼８が鈎部２の開口を閉じる状態において、フック本体１の外側面１５に対して傾斜して、その端部が上記外側面１５上に臨んでいる。
【００１９】
一対の側板９の張り出し部分９ａ間には補助翼１６が組込まれている。補助翼１６は一対の側板１７を有し、その一対の側板１７の中央部がピン１８により回動自在に支持され、上記ピン１８を中心として揺動可能とされている。
【００２０】
ピン１８には弾性手段としてのキックばね１９が支持されている。キックばね１９は一対の側板１７の一端部間に設けられた係合ピン２０がフック本体１の外側面１５に形成された係合突部２１の下縁と係合する方向に補助翼１６を付勢しており、上記係合突部２１に対する係合ピン２０の係合によって片開翼８は閉鎖状態にロックされている。
【００２１】
補助翼１６における一対の側板１７の他端部には保持用長孔２２が形成されている。保持用長孔２２は一対の側板１７の前記フック本体の外側面と対向する一側面で開口している。保持用長孔２２は、補助翼１６の係合ピン２０が係合突部２１に係合する状態において片開翼８に形成された誘導用長孔１４に対して傾斜する方向に延び、上側面２２ａの端部が前記誘導用長孔２２内に臨んでいる。
【００２２】
実施の形態で示す高所掛止用フック金具は上記の構造から成り、図５は、そのフック金具を高所の掛止部材に係合させる際に用いる操作棒３０を示す。
【００２３】
操作棒３０は、図では詳細を省略したが伸縮自在とされ、その先端には軸の折曲げによって形成された第１フック３１が取付けられ、その第１フック３１に第２フック３２が固定されている。
【００２４】
第２フック３２は、水平杆部３２ａの両端に側面形状がＵ字形の一対の側杆部３２ｂを設けており、各側杆部３２ｂの端部が第１フック３１に溶接等の手段で固着されている。
【００２５】
いま、操作棒３０の先端に設けられた第２フック３２の水平杆部３２ａをフック本体１の外側面１５に沿って移動させると、その水平杆部３２ａは誘導用長孔１４の一方の内側面１４ａに案内されて誘導用長孔１４内に進入し、補助翼１６に形成された保持用長孔２２の一方の上側面２２ａが上記水平杆部３２ａで押圧される。
【００２６】
このため、補助翼１６は、ピン１８を中心にして、係合ピン２０が係合突部２１から離れる方向に揺動する。ここで、補助翼１６の他端部に、図２に示すようにピン２３が設けられていると、補助翼１６はそのピン２３がフック本体１の外側面１５に当接する位置まで揺動し、その停止後、水平杆部３２ａの押圧により、片開翼８がピン１０を中心に揺動してフック本体１の鈎部２の開口を開放する。
【００２７】
補助翼１６の他端部にピン２３が設けられていない場合、水平杆部３２ａは誘導用長孔１４の閉塞端に当接して、その閉塞端を押し上げ、片開翼８を開放させる。
【００２８】
図６は、片開翼８を開放させた状態を示し、その片開翼８の開放によって、誘導用長孔１４と保持用長孔２２とは斜交し、両孔１４、２２の交差部に第２フック３２の水平杆部３２ａが配置され、その水平杆部３２ａによってフック金具は吊り下げ状態に保持される。
【００２９】
このとき、フック本体１の連結孔３にはカラビナ４を介してロック式巻取器７が連結されているため、このロック式巻取器７の重量によって片開翼８は開放状態に保持される。
【００３０】
フック金具を高所に設けられた図６に示す掛止部材４０に係合させるには、第２フック３２の水平杆部３２ａでそのフック金具を吊り下げ支持する状態において、操作棒３０を操作し、フック本体１の鈎部２を掛止部材４０に係合させる。
【００３１】
操作棒３０の操作時、フック金具は、片開翼８の一対の側板９に形成された誘導用長孔１４の内周一部が第２フック３２の水平杆部３２ａと接触する２点支持の吊り下げ状態であるため、フック金具はふらつかず、フック本体１の鈎部２の向きは一定に保持され、掛止部材４０に対して鈎部２を簡単に係合させることができる。
【００３２】
図６に示すように、掛止部材４０にフック本体１の鈎部２を係合させたのち、操作棒３０を引き下げると、第２フック３２の水平杆部３２ａは片開翼８の揺動中心に対する偏心位置を引き下げるため、片開翼８はフック本体１の鈎部２開口を閉じる方向に揺動する。
【００３３】
図７に示すように、片開翼８が鈎部２の開口を閉じると、補助翼１６の一端の係合ピン２０がフック本体１の外側面１５に形成された係合突部２１の下部一側に臨み、キックばね１９の押圧力により補助翼１６は係合ピン２０が係合突部２１と係合する方向に揺動して図２の状態に戻り、第２フック３２の水平杆部３２ａは補助翼１６に形成された保持用長孔２２の開口におよび片開翼８に設けられた誘導用長孔１４の開口から下方に抜け出し、フック金具は掛止部材４０に掛吊り状態とされる。
【００３４】
フック本体１の鈎部２を高所の掛止部材４０に係合させる操作は地上からの操作であるため、図８に示すように、高さ寸法が鈎部２の開口の高さ寸法より大きい掛止部材４０に誤って係合されるおそれがある。
【００３５】
この場合、鈎部２の係合後における操作棒３０の引き下げ時、閉鎖方向に揺動する片開翼８は掛止部材４０に当接して閉鎖状態とすることができない。
【００３６】
このとき、片開翼８の誘導用長孔１４と補助翼１６の保持用長孔２２は斜交する状態に保持され、その両孔１４、２２の交差部に第２フック３２の水平杆部３２ａが保持されて下方に引き抜くことはできず、片開翼８が中途半端に開いていることを知ることができる。
【００３７】
上記のような不完全な係合状態が生じた場合は、操作棒３０を押し上げて掛止部材４０とフック本体１の鈎部２の係合を解除し、鈎部２のかけ直しを行うようにする。
【００３８】
このように、片開翼８が不完全な閉鎖状態では、第２フック３２の水平杆部３２ａを誘導用長孔１４の下方に引き抜くことができず、上記片開翼８が完全に閉鎖する状態においてのみ上記水平杆部３２ａを引き抜くことができるため、フック金具の完全な係合状態を常に確保することができ、安全性に優れた高所掛止用フック金具を提供することができる。
【００３９】
また、フック金具の取外しに際しては、フック本体１の外側面１５に操作棒３０の先端に設けられた第２フック３２の水平杆部３２ａと接触させ、その外側面１５に沿って水平杆部３２ａを移動させて片開翼８の誘導用長孔１４に挿入し、その水平杆部３２ａの押し上げにより、補助翼１６を揺動させ、かつ片開翼８を揺動させて鈎部２の開口を開放させ、上記水平杆部３２ａによってフック金具を掛止部材４０の上方に持ち上げるようにする。
【００４０】
【発明の効果】
以上のように、この発明においては、係止部材にフック本体の鈎部を係合して操作棒を引き下げるとき、その操作棒の先端に設けられたフックの水平杆部は片開翼がフック本体の鈎部を完全に閉じる状態でのみその片開翼に形成された誘導用長孔から下方に引き抜くことができるため、完全な係合状態を常に確保することができ、安全性に優れた高所掛止用フック金具を提供することができる。
【００４１】
また、操作棒の先端に設けられたフックの水平杆部でフック金具を吊り下げ支持する状態では、片開翼の一対の側板に形成された誘導用長孔の内周一部が上記水平杆部と接触して、フック本体は２点支持されるため、フック本体の鈎部は一定の向きに保持され、掛止部材に対してフック本体の鈎部を簡単に係合させることができる。
【図面の簡単な説明】
【図１】この発明に係るフック金具と巻取器の接続状態を示す正面図
【図２】図１に示すフック金具の一部切欠正面図
【図３】図２に示すフック金具の側面図
【図４】図２に示すフック金具の分解斜視図
【図５】フック金具の掛け吊り操作用の操作棒を示す斜視図
【図６】この発明に係るフック金具を掛止部材に掛け吊るす途中の状態を示す正面図
【図７】フック金具の掛け吊り後において操作棒を引き下げる途中の状態の一部切欠側面図
【図８】フック金具の片開翼が中途半端に閉じた状態を示す正面図
【符号の説明】
１      フック本体
２      鈎部
８      片開翼
９      側板
１１    キックばね
１４    誘導用長孔
１４ａ  内側面
１５    外側面
１６    補助翼
１９    キックばね
２０    係合ピン
２１    係合突部
２２    保持用長孔
２２ａ  上側面
【図１】
0004331355.tif 000002
【図２】
0004331355.tif 000003
【図３】
0004331355.tif 000004
【図４】
0004331355.tif 000005
【図５】
0004331355.tif 000006
【図６】
0004331355.tif 000007
【図７】
0004331355.tif 000008
【図８】
0004331355.tif 000009